(57)【要約】【課題】装飾部品や健康増進部品などの付加部材を、腕時計、ブレスレット、あるいはネックレスなどの帯状装身具の表面に確実に固定する。【解決手段】帯状装身具の表面に配置された付加部材１１と、付加部材の外側に接する保持部材１４とを有する。保持部材が帯状装身具より脱落するのを防ぐ脱落防止手段が設けられている。脱落防止手段には、保持部材の外周面に備えられた突出部と、帯状装身具の凹部の内周面に設けられた溝との機械的係合が採用される。付加部材１１は、たとえば、帯状装身具の１つである腕時計において、腕時計を構成する部品の１つであるケースの裏蓋の裏面に組み込まれる。付加部材１１は、腕時計を構成する他の部品に組み込まれてもよい。【選択図】　　　図４
2004065705.tif 000002
【特許請求の範囲】
【請求項１】
帯状装身具の表面に配置された付加部材と、
付加部材の外側に接する保持部材と、
この保持部材が帯状装身具より脱落することを防ぐ脱落防止手段とを備え、
脱落防止手段によって帯状装身具に配置された保持部材の内側に、付加部材が保持される帯状装身具。
【請求項２】
請求項１に記載の帯状装身具であって、付加部材が装飾部品である帯状装身具。
【請求項３】
請求項１に記載の帯状装身具であって、付加部材が健康増進部品である帯状装身具。
【請求項４】
請求項１から３のいずれかに記載の帯状装身具であって、保持部材が付加部材の一部を外方に露出させる形状を有する帯状装身具。
【請求項５】
請求項４に記載の帯状装身具であって、保持部材が、付加部材の一部を外方に露出させる開口部を備える枠体である帯状装身具。
【請求項６】
請求項５に記載の帯状装身具であって、保持部材の開口部を囲む縁の一部分から、縁の他の部分にわたって、開口部の内部を通るように架橋された架橋部が保持部材に備えられる帯状装身具。
【請求項７】
請求項１から６のいずれかに記載の帯状装身具であって、保持部材が付加部材に接触する押さえ部を備え、押さえ部が付加部材の外方への移動を抑止する帯状装身具。
【請求項８】
請求項７に記載の帯状装身具であって、押さえ部が開口部の周囲に突設された突起である帯状装身具。
【請求項９】
請求項７に記載の帯状装身具であって、押さえ部と帯状装身具の外表面との間で、付加部材が厚み方向に圧縮される帯状装身具。
【請求項１０】
請求項７に記載の帯状装身具であって、押さえ部が挿入される溝部を、付加部材が備える帯状装身具。
【請求項１１】
請求項１から１０のいずれかに記載の帯状装身具であって、帯状装身具の外表面に、付加部材が収納される凹部が備えられる帯状装身具。
【請求項１２】
請求項１１に記載の帯状装身具であって、凹部内に保持部材が固定される帯状装身具。
【請求項１３】
請求項１２に記載の帯状装身具であって、保持部材の外端面が、帯状装身具の外表面より突出しないように、保持部材が配置される帯状装身具。
【請求項１４】
請求項１から１３のいずれかに記載の帯状装身具であって、保持部材と帯状装身具の脱落防止手段が、保持部材と帯状装身具との係合断面形状が入口より奥部が拡大された形状係合である帯状装身具。
【請求項１５】
請求項１４に記載の帯状装身具であって、脱落防止手段が、保持部材の外周面に備えられた突出部と、帯状装身具の凹部の内周面に設けられた溝との機械的係合である帯状装身具。
【請求項１６】
請求項１から１５のいずれかに記載の帯状装身具であって、保持部材と付加部材の間に挟持される挟持部材を含む帯状装身具。
【請求項１７】
請求項１から１３のいずれかに記載の帯状装身具であって、保持部材と帯状装身具との脱落防止手段が、保持部材を帯状装身具に固定する固定部材を含む帯状装身具。
【請求項１８】
請求項１７に記載の帯状装身具であって、固定部材が、保持部材の外側において帯状装身具に螺合する部材である帯状装身具。
【請求項１９】
請求項１７に記載の帯状装身具であって、固定部材が、保持部材の外側において帯状装身具にネジで固定される部材である帯状装身具。
【請求項２０】
請求項１から１９のいずれかに記載の帯状装身具であって、付加部材が、携帯者が帯状装身具を装着した場合に、携帯者の肌に対向する部分に備えられる帯状装身具。
【請求項２１】
請求項１から２０のいずれかに記載の帯状装身具であって、付加部材が、腕時計ケースの裏面に備えられる帯状装身具。
【請求項２２】
請求項２１に記載の帯状装身具であって、付加部材が、腕時計ケースの裏蓋に備えられる帯状装身具。
【請求項２３】
請求項２１に記載の帯状装身具であって、付加部材が、腕時計ケースのバンド連結部に備えられる帯状装身具。
【請求項２４】
請求項１から２０のいずれかに記載の帯状装身具であって、付加部材が、中留に備えられる帯状装身具。
【請求項２５】
請求項１から２０のいずれかに記載の帯状装身具であって、付加部材が、バンドに備えられる帯状装身具。
【請求項２６】
請求項１から２０のいずれかに記載の帯状装身具であって、付加部材が、腕時計ケースとバンド、バンドとバンド、バンドと中留との間のいずれかに配置される中間連結部材に備えられる帯状装身具。
【請求項２７】
健康増進部品を備えた帯状装身具であって、バンドの内部に健康増進部品を内包した帯状装身具。
【請求項２８】
請求項２７に記載の帯状装身具であって、皮革バンドの内部に健康増進部品を内包した帯状装身具。
【請求項２９】
請求項２７に記載の帯状装身具であって、合成樹脂、あるいはゴムからなるバンドの内部に健康増進部品を内包した帯状装身具。
【請求項３０】
請求項２９に記載の帯状装身具であって、健康増進部品をバンドの外方に露出させる開口部をバンドが備える帯状装身具。
【請求項３１】
請求項１、あるいは３のいずれかに記載の帯状装身具であって、健康増進部品が、遠赤外線発生部品、マイナスイオン発生部品、あるいは磁気発生部品の群から選ばれる１つである帯状装身具。
【請求項３２】
請求項３１に記載の帯状装身具であって、健康増進部品が、トルマリン鉱石の微粉末を含有した合成樹脂によって成形された合成樹脂シートである帯状装身具。
【発明の詳細な説明】
【０００１】
【発明の属する技術分野】
本発明は、装飾部品や健康増進部品などの付加部材を備えた、腕時計、ブレスレット、あるいはネックレスなどの帯状装身具に関する。
【０００２】
【従来の技術】
装飾部品又は健康増進部品などの付加部材を取付けた帯状装身具はすでに知られている。
たとえば、腕時計の装飾性を高めるための装飾部材としては、ケースの裏蓋に取付けられる銘板が広く知られている。銘板は、ステンレスや黄銅などの金属、あるいは合成樹脂などの材料で作られ、模様や絵柄などが表面に付された板である。そして、銘板は、両面テープなどの接着テープや接着剤などで、裏蓋の外面に接着されてきた。
他方、携帯者の健康を増進させる健康増進部品として、近年、マイナスイオンを発生する部品や遠赤外線を発生する部品が、腕時計に用いられるようになった。これらマイナスイオン発生部品や遠赤外線発生部品などの健康増進部品を備えることで、計時機能以外の健康増進器具としての機能が、腕時計に付加されている。
【０００３】
この健康増進部品としては、トルマリンが広く用いられている。トルマリンは、別名電気石とも呼ばれ、わずかな加温や加圧で、人体にとって適度な遠赤外線を発生する。さらに、加温や加圧によって生じたトルマリンの電場の中に、大気中の水分子が通過すると、水分子は水素イオンと水酸イオンに解離する。この水酸イオンが水分子と結合して、マイナスの電荷をもつヒドロキシルイオンとなって大気中に浮遊する。このマイナスイオンを含む空気が健康を増進させる。このように、トルマリンは、遠赤外線とマイナスイオン双方を発生させるため、健康増進部品として多用されている。
市場では、トルマリンを含む部品がケースの裏蓋の外面に接着された腕時計が、すでに市販されている。
加えて、実開平１０−１４６２４号公報には、トルマリンを含むマイナスイオン発生部品を、裏蓋のみならず、中留に取付けることが教示されている。また、登録実用新案３０２３５５９号は、バンドの駒の裏側にマイナスイオン発生部品と磁石とを交互に取付けることを教示する。
【０００４】
【発明が解決しようとする課題】
しかしながら、銘板などの装飾部品は、購買者や携帯者に視認できるように、腕時計の外面に露出して接着されなければならない。また、トルマリンなどの健康増進部品も、携帯者の肌で加温や加圧されなければならないため、携帯者の肌に触れるように、腕時計の外面に露出して接着されなければならない。よって、これら装飾部品や健康増進部品には、不用意な外力が負荷されやすく、その結果、外力の負荷によって、腕時計から簡単に外れてしまうという問題があった。
したがって、市場では、装飾部品や健康増進部品が容易に外れない腕時計が望まれているが、実開平１０−１４６２４号公報も登録実用新案３０２３５５９号も、健康増進部品を腕時計に取付けるための具体的な手段については、なんら開示していない。
【０００５】
また、装飾部品も健康増進部品も、腕時計に直接接着していたので、製造に手間がかかり、製造コストが高くなってしまった。そればかりか、接着剤や接着テープがはみ出すと、装身具としての美観をはなはだ損ねてしまった。
これらの課題は、腕時計のみならず、ブレスレットやネックレスなどの他の帯状装身具にも、装飾部品や健康増進部品を取付ける場合に同様に存在する。
そこで本発明の第１の目的は、装飾部品、あるいは健康増進部品などの付加部材が強固に取付けられた帯状装身具を提供することにある。
また、本発明の第２の目的は、付加部材が見栄えよく取付けられた帯状装身具を提供することにある。
さらに、本発明の第３の目的は、付加部材が取付けられた帯状装身具を安価に製造することのできる構造を提供するにある。
【０００６】
【課題を解決するための手段】
この目的を達成するため、本発明の請求項１による帯状装身具は、帯状装身具の表面に配置された付加部材と、付加部材の外側に接する保持部材と、この保持部材が帯状装身具より脱落することを防ぐ脱落防止手段とよりなる。
この構成により、帯状装身具の外表面に付加部材を配置し、その外側に保持部材を被せて、保持部材を帯状装身具に固定するだけで、付加部材が帯状装身具に対して強固に保持される。また、付加部材を帯状装身具に接着する必要がないので、接着剤のはみ出しなどで、帯状装身具の美観を損ねることがない。さらに、この取付け作業は容易であるため、安価に付加部材を備える帯状装身具を製造できる。
【０００７】
また、請求項２による本発明は、付加部材を装飾部品とすることができる。
装飾部品の素材は、ステンレス、チタン、チタン合金、黄銅などの金属、七宝などのセラミック、天然繊維、合成繊維、皮革、写真や絵などの紙、コイン、あるいは合成樹脂やゴムなどの柔軟体など、帯状装身具の外表面と保持部材との間に挟持できるものであれば、何であってもよい。これらの装飾部材の露出する表面には、マーク、模様、あるいは絵柄などが付されてもよい。あるいは、製品番号や部品番号などの識別符号が付されてもよい。
【０００８】
また、本発明は、請求項３によれば、付加部材を、健康増進部品とすることができる。健康増進部品としては、遠赤外線発生部品、マイナスイオン発生部品、あるいは永久磁石などの磁気発生部品などが採用される。
遠赤外線発生部品としては、たとえば、Ｓｉ３Ｎ４、Ｃ、ＴｉＯ２、ＭｇＯ、ＺｒＯ２、Ｆｅ（ＯＨ）２などの無機物を溶剤系のバインダーに練り込んで成形した成形部品を採用してもよい。あるいは、シリコンなどの液化樹脂と、麦飯石、蛇紋岩、角閃石、褐廉石、沸石、蛍石、フェルソング石などの多種類の鉱石を粉砕した微粉末鉱石とを混和させ、加熱処理を施してチップ状に成形した遠赤外線発生部品を採用してもよい。さらに、スギゴケ、ゼニゴケなどのコケ類植物を乾燥させ粉末状とした微粉末植物を加えて成形した部品を用いてもよい。
【０００９】
マイナスイオン発生部品としては、たとえば、トルマリン鉱石の原石、トルマリン鉱石の粉末を含むセラミック成形部品、あるいはトルマリン鉱石の粉末を含む合成樹脂成形部品などを採用してもよい。トルマリンを用いれば、マイナスイオン発生部品は、遠赤外線発生部品の機能をも兼ねる。
トルマリン鉱石の粉末を含むセラミック成形部品は、たとえば次のように製造される。セラミック微細中空粒子、およびトルマリン粉末を主構成材料とし、これに融剤となる材料を含むセラミックス組成物と水を加えて混練する。次いで、混練された材料を、所定の型枠に打設して、加圧成形後、焼成すればよい。
融剤としては、たとえば、長石、石灰石、炭酸マグネシウム、リン酸石灰、酸化鉛、硼酸、硼砂、炭酸ソーダ、硝酸ソーダ、酸化亜鉛の群から選択される、いずれか１種または２種以上を添加する。
【００１０】
セラミックス組成物とは、Ｂ２Ｏ３、ＳｉＯ２、ＧｅＯ２、ＺｒＯ２、Ｐ２Ｏ５、Ａｓ２Ｏ５、Ｓｂ２Ｏ３、Ｂｉ２Ｏ３、Ｐ２Ｏ３、Ｓｂ２Ｏ５、ＳＯ３などの酸性酸化物に、Ｎａ２Ｏ、Ｋ２Ｏ、ＣａＯ、ＭｇＯなどの塩基性酸化物や、Ａｌ２Ｏ３、Ｆｅ２Ｏ３、ＺｎＯ、ＰｂＯ、ＴｉＯ２などを添加したものが含まれる。たとえば、ＳｉＯ２−Ｎａ２Ｏ−Ｂｉ２Ｏ３、ＳｉＯ２−Ｎａ２Ｏ−ＣａＯ、ＳｉＯ２−Ｋ２Ｏ−ＣａＯ、Ａｌ２Ｏ３−ＳｉＯ２−Ｎａ２Ｏ−ＣａＯ−Ｂ２Ｏ３、Ａｌ２Ｏ３−ＳｉＯ２−ＴｉＯ２−ＣａＯ−Ｂ２Ｏ３、ＣａＯ−ＳｉＯ２−Ａｌ２Ｏ３−Ｆｅ２Ｏ３、あるいはＳｉＯ２−Ａｌ２Ｏ３−Ｋ２Ｏなどの群Ａから選択される、少なくとも１種を使用する。あるいは、天然素材のカオリン、可塑性粘土（蛙目粘土、木節粘土、ボールクレー等）、セリサイト、陶石、ロウ石、ベントナイト、珪石、シャモット、長石、石灰石、マグネサイト、ドロマイト、珪灰石、滑石、骨灰などの群Ｂから選択される、いずれか１種または２種以上を配合して使用する。群ＡとＢからそれぞれ選択される、少なくとも１種を配合して使用してもよい。
トルマリン鉱石の粉末を含む合成樹脂成形部品としては、たとえば、シリコンなどの液化樹脂と、トルマリン鉱石の粉末とを混和させ、加熱処理を施してシート状に成形した部品を採用してもよい。
【００１１】
また、本発明の請求項４によれば、保持部材が付加部材の一部を外方に露出させる形状を有する。
この構成により、付加部材が装飾部品である場合は、購買者や携帯者に視認できるように、装飾部品が装身具の外面に露出される。また、付加部材がトルマリンなどの健康増進部品である場合は、携帯者の肌で加温や加圧されるように、健康増進部品が装身具の外面に露出される。特に、健康増進部品が、マイナスイオン発生部品である場合、マイナスイオンが帯状装身具の外方に放出されやすくなる。
【００１２】
また、本発明の請求項５によれば、この保持部材は、付加部材の一部のみを外方に露出させる開口部を備える枠体とすることができる。
この構成により、保持部材の開口部から、付加部材の一部のみが外方に露出される。かつ、開口部を囲む周囲部分が、付加部材に被さり、付加部材を確実に帯状装身具の外表面に保持する。このような保持部材は、たとえば、内側に開口部として貫通孔を備える金属製リングとすることができる。
また、本発明の請求項６によれば、保持部材が、貫通孔内部を通るように架橋された架橋部を備える。架橋部は付加部材の上に被さり、装身具から付加部材が脱落することを防ぐ。
【００１３】
また、本発明の請求項７によれば、保持部材が、付加部材の外方への移動を抑止するように、付加部材に接触する押さえ部を備える。
この構成により、保持部材の押さえ部と、帯状装身具の外表面との間で、付加部材が確実に挟持される。
また、本発明の請求項８によれば、押さえ部は、開口部の周囲に突設された突起とすることができる。
また、本発明の請求項９によれば、押さえ部と帯状装身具の外表面との間で、付加部材が厚み方向に圧縮される。よって、付加部材が、より強固に取付けられる。
【００１４】
また、本発明の請求項１０によれば、押さえ部が挿入される溝部を、付加部材が備える。よって、付加部材の位置がずれることがない。
また、本発明の請求項１１によれば、帯状装身具の外表面に、付加部材が収納される凹部が備えられる。よって、付加部材が、帯状装身具の外表面に確実に位置決めされるばかりか、付加部材に意図しない外力が負荷されにくくなるので、付加部材が外れる危険が削減される。
また、本発明の請求項１２によれば、凹部内に保持部材が固定されても良い。
このとき、本発明の請求項１３に記載された通り、保持部材の外端面が、帯状装身具の外表面より突出しないようにすれば、帯状装身具の携帯者の肌に保持部材が当たらないので、帯状装身具の装着感が良好になる。かつ、保持部材に意図しない外力が負荷されにくくなるので、保持部材が外れる危険が削減される。
【００１５】
また、本発明の請求項１４によれば、保持部材と帯状装身具との脱落防止手段は、保持部材と帯状装身具との係合断面形状が入口より奥部が拡大された形状であってもよい。
詳しくは、本発明の請求項１５に記載された通り、脱落防止手段は、保持部材の外周面に備えられた突出部と、帯状装身具の凹部の内周面に設けられた溝との機械的係合であってもよい。
【００１６】
また、本発明の請求項１６によれば、本発明の帯状装身具は、保持部材と付加部材の間に挟持される挟持部材を含んでもよい。挟持部材を備えると、帯状装身具がさらに装飾される。挟持部材の素材は、付加部材と同じく、挟持され得る素材であるならば、何であってもよい。挟持部材には、保持部材と同じく、付加部材を露出させる開口部が備えられることが好ましい。たとえば、挟持部材は、金属、合成樹脂、あるいはゴムなどからなるリング状の板材とすることができる。挟持部材の表面には、印刷、塗装、湿式メッキ、あるいは乾式メッキなどの手段によって、模様やマークなどの加飾層が設けられてもよい。
【００１７】
また、本発明の請求項１７によれば、保持部材と帯状装身具との脱落防止手段は、保持部材を帯状装身具に固定する固定部材を含んでもよい。この場合、本発明の請求項１８に記載された通り、固定部材が、保持部材の外側において帯状装身具に螺合する部材であってもよい。あるいは、本発明の請求項１９に記載された通り、固定部材が、保持部材の外側において帯状装身具にネジで固定される部材であってもよい。
【００１８】
また、本発明の請求項１９から２６によれば、付加部材が健康増進部品であるならば、付加部材は、携帯者が帯状装身具を装着した場合に、携帯者の肌に対向する部分に備えられることが好ましい。このようにすると、遠赤外線やマイナスイオンが、より効果的に携帯者の身体に作用する。
たとえば、付加部材は、腕時計ケースの裏面に備えられてもよい。この場合、付加部材は、腕時計ケースの裏蓋に備えられてもよい。あるいは、付加部材が、腕時計ケースのバンド連結部に備えられてもよい。
しかしながら、付加部材が装飾部品であるならば、帯状装身具の裏面ばかりではなく、表側の面など、別の箇所に配置してもよい。
また、本発明は、付加部材を、中留、バンドの駒、腕時計ケースとバンドとの間に配置される中間連結部材、バンドとバンドとの間に連結される中間連結部材、あるいはバンドと中留との間に連結される中間連結部材に備えることができる。
【００１９】
また、この目的を達成するため、本発明の請求項２７による帯状装身具は、健康増進部品を備えた帯状装身具であって、バンドの内部に健康増進部品を内包した帯状装身具である。
この構成によれば、健康増進部品に意図しない外力が負荷されにくいので、健康増進部品が強固に帯状装身具に取付けられる。また、健康増進部品を備えても外観は変わらないので、見栄えが良い。かつ、接着などの手間が要らないので、健康増進部品を備える帯状装身具を安価に製造できる。
【００２０】
また、本発明の請求項２８によれば、本発明は、皮革バンドの内部に健康増進部品を内包できる。この場合、たとえば、皮革バンドの芯材と共に健康増進部品を配置して、皮革バンドを製造すればよい。
また、本発明の請求項２９によれば、本発明は、合成樹脂、あるいはゴムバンドの内部に健康増進部品を内包できる。この場合、たとえば、インサート成形で健康増進部品を内包したバンドを成形できる。この場合、本発明の請求項３０によれば、健康増進部品をバンドの外方に露出させる開口部をバンドが備えることが好ましい。これにより、健康増進部品が、携帯者の肌で加温や加圧されるようになるばかりか、マイナスイオンが開口部を通過して、バンドの外方に放出されやすくなる。
【００２１】
また、本発明の請求項３１によれば、健康増進部品が、遠赤外線発生部品、マイナスイオン発生部品、あるいは磁気発生部品の群から選ばれる１つである。
また、本発明の請求項３２によれば、健康増進部品が、トルマリン鉱石の微粉末を含有した合成樹脂によって成形されたトルマリン含有樹脂部材である。合成樹脂としてシリコンなどの柔軟な樹脂を用いることが好ましい。
すると、トルマリン含有樹脂部材を帯状装身具の外表面に配置する場合、トルマリン含有樹脂部が、不用意に負荷された外力によって破損しにくくなる。
また、トルマリン含有樹脂部材をバンドの内部に配置する場合、トルマリン含有樹脂部材が、バンドの屈曲に追従できるので、破損しにくくなるばかりか、帯状装身具の装着感が良好になる。
【００２２】
【発明の実施の形態】
（第１実施形態）
図１は本発明の第１実施形態による腕時計を裏側から見た分解斜視図、図２は裏蓋の分解切断側面図、図３は保持部材の斜視図、図４は腕時計の断面図、図５は一部拡大断面図である。
図１及び図４に示すように、本発明が適用された腕時計はケース１、風防２、文字板３、ムーブメント４、文字板３及びムーブメント４をケースの段部５に押圧保持する金属製裏蓋６を有する。裏蓋６は、押圧部７の突起８がケース１の凹部１０に圧入することにより、ケース１に固定される。
【００２３】
本実施形態は、健康増進部品又は装飾部品（以下総括して付加部材と称する）を裏蓋６に取付けるようにした実施形態を示す。
付加部材１１は、円板状を成す。そして、裏蓋の裏側中央部に、付加部材１１と相似した円形の凹部１２が形成される。凹部１２は、付加部材１１の径より少し大きい径を有し、付加部材の厚さより深く形成される。図５に示すように、凹部１２の内周壁１３は、奥に行くに従って直径が大きくなる。よって、凹部１２は、逆円錐台形の凹みを成す。結果、凹部１２の開口部は狭められて、凹部１２の内奥に溝部１２ａが形成される。
凹部１２内には、付加部材１１が納められる。金属製又はプラスチック製の保持部材１４が、凹部１２内に圧入される。保持部材１４は、その中央部が貫通された環状の枠体として形成される。保持部材１４の貫通孔が、保持部材１４の開口部１４ｃを成す。
保持部材１４は、環状の本体１４ａと、その下部より逆Ｌ形に円環の内方に突出した立ち上がり押さえ部１４ｂとよりなる。本体１４ａは、凹部１２の内周壁１３に対応して基部に向かって逆円錐状に径が拡大する。押さえ部１４ｂの先端は、付加部材１１の下面に圧接するように構成されている。
【００２４】
次に付加部材１１の取付け方法について説明する。
裏蓋６を保持台（図示せず）に裏面を上にして固定し、凹部１２内に付加部材１１を挿入する。次に保持部材１４の本体１４ａを図示しない圧縮工具により圧縮して小径とし、圧入工具により保持部材１４を凹部１２の内周壁１３と付加部材１１の間に圧入する。これにより保持部材１４の本体１４ａの外周が凹部１２の内周壁１３及び付加部材１１の外周壁に圧接し、押さえ部１４ｂの先端が付加部材１１の下面に圧接し、付加部材が強固に裏蓋６に保持される。
【００２５】
保持状態においては、保持部材１４の下面は裏蓋６の下面と略同一面となり、保持部材の下面は裏蓋下面より突出することはないようになっている。これにより外力により保持部材が外れることがない。また、腕時計の装着時に局部的圧接感がないので、装着感を悪くすることはない。
さらに、付加部材１１は保持部材１４より奥に納められているので、外力を受けて傷つくことはない。
そして、断面Ｖ字形係合による脱落防止手段により、保持部材１４は確実に裏蓋の凹部１２内に嵌合する。よって、保持部材１４によって、付加部材１１が裏蓋６の凹部１２内部に保持される。
【００２６】
また、この保持状態においては、保持部材１４の中央部に開いた開口部１４ｃより、付加部材１１が外方に露出する。
付加部材１１が装飾部品であるときは、開口部１４ｃを通して付加部材１１が視認されて、腕時計が装飾される。
付加部材１１が、健康増進部品、たとえトルマリンを含む健康増進部品である場合は、開口部１４ｃを通して、付加部材１１が携帯者の肌で加温や加圧される。かつ、開口部１４ｃを通して、健康増進部品からマイナスイオンが腕時計の外方に放出される。
【００２７】
本実施形態では、保持部材１４を環状の枠体としたが、保持部材１４は、どのような形状の枠体であってもよい。たとえば、保持部材を矩形の枠体としてもよい。この場合、裏蓋の裏側中央部に、付加部材と相似した矩形の凹部が形成されればよい。
また、本実施形態では、付加部材を外方に露出させるために、保持部材１４に開口部１４ｃを形成したが、保持部材の形状は、付加部材を外方に露出できる形状であるならば、枠体に限定されない。
また、本実施形態では、腕時計の裏蓋の裏側に付加部材を取付けた。このように、付加部材が健康増進部品である場合は、携帯者が帯状装身具を装着した場合に、携帯者の肌に対向する部分、すなわち装身具、たとえば腕時計の裏側に付加部材が備えられることが好ましい。
【００２８】
ここで、付加部材１１が装飾部品の時、その素材は、ステンレス、チタン、チタン合金、黄銅などの金属、七宝などのセラミック、天然繊維、合成繊維、皮革、写真や絵などの紙、コイン、あるいは合成樹脂やゴムなどの柔軟体などである。
柔軟材の時は、図５に示すように保持部材１４の押さえ部１４ｂの先端が付加部材１１の下面に食い込み、より確実に保持することができる。
健康増進部品としては、遠赤外線発生部品、マイナスイオン発生部品、あるいは永久磁石などの磁気発生部品などが採用される。
【００２９】
遠赤外線発生部品としては、たとえば、Ｓｉ３Ｎ４、Ｃ、ＴｉＯ２、ＭｇＯ、ＺｒＯ２、Ｆｅ（ＯＨ）２などの無機物を溶剤系のバインダーに練り込んで成形した成形部品を採用してもよい。あるいは、シリコンなどの液化樹脂と、麦飯石、蛇紋岩、角閃石、褐廉石、沸石、蛍石、フェルソング石などの多種類の鉱石を粉砕した微粉末鉱石とを混和させ、加熱処理を施してチップ状に成形した遠赤外線発生部品を採用してもよい。さらに、スギゴケ、ゼニゴケなどのコケ類植物を乾燥させ粉末状とした微粉末植物を加えて成形した部品を用いてもよい。
【００３０】
マイナスイオン発生部品としては、たとえば、トルマリン鉱石の原石、トルマリン鉱石の粉末を含むセラミック成形部品、あるいはトルマリン鉱石の粉末を含む合成樹脂成形部品などを採用してもよい。トルマリンを用いれば、マイナスイオン発生部品は、遠赤外線発生部品の機能をも兼ねる。
【００３１】
トルマリン鉱石の粉末を含むセラミック成形部品は、たとえば次のように製造される。セラミック微細中空粒子、およびトルマリン粉末を主構成材料とし、これに融剤となる材料を含むセラミックス組成物と水を加えて混練する。次いで、混練された材料を、所定の型枠に打設して、加圧成形後、焼成すればよい。
【００３２】
融剤としては、たとえば、長石、石灰石、炭酸マグネシウム、リン酸石灰、酸化鉛、硼酸、硼砂、炭酸ソーダ、硝酸ソーダ、酸化亜鉛の群から選択される、いずれか１種または２種以上を添加する。
【００３３】
セラミックス組成物とは、Ｂ２Ｏ３、ＳｉＯ２、ＧｅＯ２、ＺｒＯ２、Ｐ２Ｏ５、Ａｓ２Ｏ５、Ｓｂ２Ｏ３、Ｂｉ２Ｏ３、Ｐ２Ｏ３、Ｓｂ２Ｏ５、ＳＯ３などの酸性酸化物に、Ｎａ２Ｏ、Ｋ２Ｏ、ＣａＯ、ＭｇＯなどの塩基性酸化物や、Ａｌ２Ｏ３、Ｆｅ２Ｏ３、ＺｎＯ、ＰｂＯ、ＴｉＯ２などを添加したものが含まれる。たとえば、ＳｉＯ２−Ｎａ２Ｏ−Ｂｉ２Ｏ３、ＳｉＯ２−Ｎａ２Ｏ−ＣａＯ、ＳｉＯ２−Ｋ２Ｏ−ＣａＯ、Ａｌ２Ｏ３−ＳｉＯ２−Ｎａ２Ｏ−ＣａＯ−Ｂ２Ｏ３、Ａｌ２Ｏ３−ＳｉＯ２−ＴｉＯ２−ＣａＯ−Ｂ２Ｏ３、ＣａＯ−ＳｉＯ２−Ａｌ２Ｏ３−Ｆｅ２Ｏ３、あるいはＳｉＯ２−Ａｌ２Ｏ３−Ｋ２Ｏなどの群Ａから選択される、少なくとも１種を使用する。あるいは、天然素材のカオリン、可塑性粘土（蛙目粘土、木節粘土、ボールクレー等）、セリサイト、陶石、ロウ石、ベントナイト、珪石、シャモット、長石、石灰石、マグネサイト、ドロマイト、珪灰石、滑石、骨灰などの群Ｂから選択される、いずれか１種または２種以上を配合して使用する。群ＡとＢからそれぞれ選択される、少なくとも１種を配合して使用してもよい。
【００３４】
トルマリン鉱石の粉末を含む合成樹脂成形部品としては、たとえば、シリコンなどの液化樹脂と、トルマリン鉱石の粉末とを混和させ、加熱処理を施してシート状に成形した部品を採用してもよい。
【００３５】
（第２実施形態）
図６は本発明の第２実施形態における保持部材を示す斜視図である。以下の説明において第１実施形態と同じ部材については、それと同一符号を付す。
この保持部材１４の立ち上がり押さえ部１４ｂは、数個所において切欠１７が形成されて、押さえ部が複数に分割されている。
これにより各押さえ部１４ｂの押圧面積が山となり押圧力が増す。また、付加部材が柔軟である場合には、押さえ部１４ｂによって押さえられた付加部材の一部が切欠内に張り出すことができるので、押さえ部１４ｂが付加部材を強く押圧できる。よって、より強固に付加部材を腕時計に保持することができる。
【００３６】
（第３実施形態）
図７は第３実施形態の一部を示す断面図である。
付加部材１１に押さえ部１４ｂが係合する環状溝１８が形成されている。これにより付加部材の位置が、平面方向、すなわち図７の左右方向に沿って、ずれることがない。また、付加部材が柔軟であっても、付加部材の縁がめくれて、保持部材から抜脱することがない。よって、より強固に付加部材を腕時計に保持することができる。
【００３７】
（第４実施形態）
図８は第４実施形態を示す断面図である。
裏蓋６の凹部２０の内周壁及び保持部材２１の外周壁は、共に軸線に平行な円筒状を成す。保持部材２１の下面は平坦で面積も広くなっている。本実施形態では環状の固定部材２２が設けられている。
その固定部材２２は、保持部材２１の下面と略同じ大きさで、外周に雄ねじ２３を有し、下面に固定部材を回転する工具が挿入される凹部２４が形成される。そして、固定部材２２は、保持部材２１の外側、すなわち図８における保持部材２１の下側に位置して、裏蓋６の凹部２０に形成された雄ねじに螺合される。固定部材２２は、保持部材２１が凹部２０より脱落することを抑止する。保持部材２１の押さえ部２１ａが付加部材１１に圧接し、付加部材１１が凹部２０より脱落することを抑止する。
このように、固定部材２２によって、保持部材２１が腕時計に取付けられ、保持部材２１によって、付加部材１１が腕時計に確実に保持される。
【００３８】
（第５実施形態）
図９は第５実施形態の断面である。
第４実施形態の固定部材２２より大径の固定部材２５が設けられる。この固定部材２５は、裏蓋６に形成された環状の段部２６内に係合され、保持部材２１の外側、すなわち図９における保持部材２１の下側に位置して、ねじ２７により裏蓋６に固定される。固定部材２５は、保持部材２１が凹部より脱落することを抑止する。そして、保持部材２１が付加部材１１を押圧し、付加部材１１が腕時計に確実に保持される。
第４及び第５実施形態共に、組立が容易で製造コストを下げることができる。また、付加部材の交換も容易で、使用者自身で交換することもできる。
【００３９】
（第６実施形態）
図１０は第６実施形態を示す斜視図、図１１はその一部を示す断面図である。この実施形態においては、第１実施形態における保持部材１４の押さえ部１４ｂ間に、直径方向に沿って架橋部１４ｄが一体に形成されている。
そして、図１１に示す組立状態では、架橋部１４ｄは、付加部材１１の下に位置し、付加部材１１の脱落を防止するようになっている。之により付加部材はより確実に保持されることになる。
また、架橋部１４ｄにより、環状の保持部材１４の開口は２つに分割され、架橋部１４ｄの両側に開口部１４ｃがそれぞれ位置する。このように、付加部材１１を外方に露出させる開口を保持部材１４に残すように、架橋部が保持部材１４に設けられることが好ましい。
【００４０】
（第７実施形態）
図１２は第７実施形態を示す断面図、図１３はその一部拡大図である。
この実施形態では、保持部材１４の押さえ部１４ｂと付加部材１１との間に、環状の金属製、あるいは合成樹脂製などの挟持部材３０が挿入されている。この挟持部材の表面には、加飾層３１が形成される。加飾層３１は、模様又はマーク等を印刷した印刷層、模様又はマーク等を湿式メッキや乾式メッキで形成したメッキ層である。あるいは、加飾層３１は、挟持部材の表面に接着された、模様又はマーク等を刻印した金属製のリング３１である。
挟持部材３０は、保持部材１４の開口部１４ｃの内周を縁取るように視認されて、開口部１４ｃの内周縁を装飾する。加飾層３１を設けると、さらに装飾効果が増す。付加部材１１が装飾部品の場合は、保持部材１４の開口部１４ｃより、付加部材１１と挟持部材３０の加飾層３１が共に視認されて、腕時計の美観がさらに改善される。
加えて、挟持部材３０は押さえ部１４ｂより面積が大きいので、付加部材１１をより確実に腕時計に保持する。
【００４１】
以下に記述する実施形態は、付加部材１１を裏蓋以外の部分に取付けた例である。
（第８実施形態）
図１４は第８実施形態を示す斜視図、図１５は断面図である。
時計ケース３３より突出するバンド連結部３３ａの裏側に凹部３４が形成される。この凹部３４の中に付加部材１１が、前述と同様に保持部材１４により取付けられている。
バンド３５にも付加部材１１としての健康増進部品を取付けることができる。その具体例は、第９、および１０実施形態で示す。
【００４２】
（第９実施形態）
図１６は第９実施形態を示す断面図である。
皮革バンド３６は、天然又は合成皮革からなる表材３８と、芯材３７と、裏材４２とよりなる。芯材３７の裏側に凹部４０が形成され、その中に健康増進部品４１が挿入される。健康増進部品４１の裏面に裏材４２が当てられる。そして、表材３８、芯材３７、裏材４２が、接着、超音波溶着、あるいは「縫いつけ」などの公知手段で互いに接合される。よって、健康増進部品４１を内部に内蔵したバンド３６が構成される。
健康増進部品４１はバンドの屈曲に柔軟に追従できる点から、例えばトルマリンを含む合成樹脂シートが好ましい。合成樹脂シートの素材としては、柔軟なシリコンなどが好ましい。
また、健康増進部品４１によってマイナスイオンが発生する場合は、マイナスイオンは、表材か裏材の通気性を利用してバンド３６の外方に放出される。
【００４３】
（第１０実施形態）
図１７は第１０実施形態の断面図で合成樹脂バンド、又はゴムバンドに本発明を適用した例である。
合成樹脂又はゴム製のバンド４４の中に、健康増進部品４１が、たとえばインサート成形により封入されている。健康増進部品４１によってマイナスイオンが発生する場合は、マイナスイオンは、バンド４４の裏面から健康増進部品４１に達するように、複数開けられた開口部４５を通して、バンド４４の外方に放出される。
【００４４】
（第１１実施形態）
図１８は第１１実施形態を裏側より見た斜視図、図１９は断面図である。
この実施形態は、複数の付加部材を、複数のバンドの駒に取付けた例を示すものである。各駒４７は公知の手段で順次連結され、バンドを形成する。各駒４７の裏面には凹部４８が形成される。その凹部４８中に付加部材１１が、前述と同様に保持部材１４で保持されている。保持部材１４の開口部１４ｃより、付加部材１１が駒の外方に露出する。各駒４７の素材は、たとえば金属、合成樹脂、ゴム、セラミックなどであり、特に限定されない。
付加部材１１が装飾部品の場合には、付加部材１１を駒の表側の面に配置してもよい。
【００４５】
（第１２実施形態）
図２０は第１２実施形態を示す断面図である。
この例では合成樹脂、又はゴム製のバンド５０の裏面に形成された凹部５１内に、前述と同様に、付加部材１１が保持部材１４によって取付けられている。この場合、保持部材１４のバンドへの係合力を考慮すれば、バンドの素材である合成樹脂、又はゴムは、硬質であることが好ましい。
また、付加部材１１が装飾部品の場合にはこの部品はバンドの表側の面に配置されてもよい。
【００４６】
（第１３実施形態）
図２１は第１３実施形態を示す分解斜視図である。
この例では、時計ケース５３の一端に連結された第１のバンド５４と第２のバンド５５との間に連結された第１の中間連結部材５６の裏面、及びケース５３と他方のバンド５７との間に連結された第２の中間連結部材５８の裏面とに、夫々凹部６０が形成される。そして、凹部６０それぞれに、前述と同様に、付加部材１１が保持部材１４によって取付けられている。
中間連結部材とケース、あるいは中間連結部材とバンドとの連結には、公知の連結手段、たとえば図示するようなばね棒などが用いられる。中間連結部材の素材には、金属や合成樹脂など、適宜な素材が採用される。中間連結部材が付加されることで、腕時計に新しい美観が付与される。中間連結部材の表側の面に、記号、マーク、絵柄などんぼ装飾部を付すると、さらに腕時計が装飾される。
なお、前記のように、付加部材が装飾部品の場合には、付加部材を中間連結部材の表側の面に配置してもよい。
【００４７】
（第１４実施形態）
図２２は第１４実施形態を示す斜視図、図２３はその断面図である。
本例は三つ折れ中留に付加部材を取付けた例である。中留は、表カバー６１と中板６２及び下板６３よりなる。下板は、中間連結部材６４を介して他方のバンド６５に連結されている。図２３に示すように、下板６３の裏面、すなわち図２３における下板６３の下面の一部が肉厚となって、収納部６７が形成される。
そして、下板６３の収納部６７の裏面（下面）と中間連結部材６４の表側の面（上面）とに凹部６６が形成される。凹部６６それぞれに、前述と同様に、付加部材１１が保持部材１４によって組み込まれている。
第１３と１４実施形態により、中間連結部材は、腕時計を構成する部品のいずれかの間、すなわちケース、バンド、中留などのいずれかの間に、少なくとも１つ配置され得ることがわかる。中間連結部材は、帯状装身具を構成する部品のいずれかの間に、少なくとも１つ配置され得る。
【００４８】
（第１５実施形態）
図２４は第１５実施形態を示す斜視図、図２５は断面図である。
本例は本発明を連結式中留に適用したものである。
連結式中留は、一方のバンド７０に連結された中留ケース７１と、該ケースにピンで回動可能に取付けられた連結金具７２とを有する。連結金具７２は、他方のバンド７３に連結された駒７４と、駒７４に取付けられたピン７９との間の空間に通して反転できる。連結金具７２のロックピン７５が、ケース７１の孔７６に挿入され、ロックピン７５が錠止板（プッシュボタン）７７のフックに係合する。このように、両バンドを連結する中留である。
そして、ケース７１と一体の連結部７８の裏側に凹部８０が形成され、前述と同様に、付加部材１１が保持部材１４によって凹部８０内に組み込まれる。
【００４９】
（第１６実施形態）
図２６は第１６実施形態を示す斜視図である。
この例は、本発明を皮革、合成樹脂、あるいはゴム製バンドの施錠に用いられる尾錠に適用したものである。
尾錠は、挿通枠８１と之に取付けられたつく棒８２とよりなり、つく棒８２がバンド８３の孔８４の一つに挿入されてバンドが締められるものである。
本発明によれば、挿通枠８１とバンド８３との間に、連結金具８５が回動可能に連結され、之の裏側に凹部８６が形成される。この凹部８６の中に、前述と同様に、付加部材１１が保持部材１４によって組み込まれている。
以上の実施形態により、付加部材は、腕時計を構成する部品の少なくとも１つに、すなわちケース、バンド、中留などの少なくとも１つに配置され得ることがわかる。付加部材は、帯状装身具を構成する部品の少なくとも１つに配置され得る。
【００５０】
【発明の効果】
本発明によれば、帯状装身具の外表面に付加部材を配置し、その外側に保持部材を被せて、保持部材を帯状装身具に固定するだけで、付加部材が帯状装身具に対して強固に保持される。また、付加部材を帯状装身具に接着する必要がないので、接着剤のはみ出しなどで、帯状装身具の美観を損ねることがない。さらに、この取付け作業は容易であるため、安価に付加部材を備える帯状装身具を製造できる。
【図面の簡単な説明】
【図１】本発明の第１実施形態による腕時計を裏側から見た分解斜視図である。
【図２】裏蓋の分解切断側面図である。
【図３】保持部材の斜視図である。
【図４】腕時計の断面図である。
【図５】一部拡大断面図である。
【図６】本発明の第２実施形態における保持部材を示す斜視図である。
【図７】第３実施形態の一部を示す断面図である。
【図８】第４実施形態を示す断面図である。
【図９】第５実施形態の断面図である。
【図１０】第６実施形態を示す斜視図である。
【図１１】第６実施形態の一部を示す断面図である。
【図１２】第７実施形態を示す断面図である。
【図１３】第７実施形態の一部拡大図である。
【図１４】第８実施形態を示す斜視図である。
【図１５】第８実施形態を示す断面図である。
【図１６】第９実施形態を示す断面図である。
【図１７】第１０実施形態の断面図である。
【図１８】第１１実施形態を裏側より見た斜視図である。
【図１９】第１１実施形態の断面図である。
【図２０】第１２実施形態を示す断面図である。
【図２１】第１３実施形態を示す分解斜視図である。
【図２２】第１４実施形態を示す斜視図である。
【図２３】第１４実施形態の断面図である。
【図２４】第１５実施形態を示す斜視図である。
【図２５】第１５実施形態の断面図である。
【図２６】第１６実施形態を示す斜視図である。
【符号の説明】
１　　　　　　　　ケース
２　　　　　　　　風防
３　　　　　　　　文字板
４　　　　　　　　ムーブメント
５　　　　　　　　ケースの段部
６　　　　　　　　裏蓋
７　　　　　　　　押圧部
８　　　　　　　　突起
１０　　　　　　凹部
１１　　　　　　付加部材
１２　　　　　　凹部
１２ａ　　　　溝部
１３　　　　　　内周壁
１４　　　　　　保持部材
１４ａ　　　　本体
１４ｂ　　　　押さえ部
１４ｃ　　　　開口部
１４ｄ　　　　架橋部
１７　　　　　　切欠
１８　　　　　　環状溝
２０　　　　　　凹部
２１　　　　　　保持部材
２１ａ　　　　押さえ部
２２　　　　　　固定部材
２３　　　　　　雄ねじ
２４　　　　　　凹部
２５　　　　　　固定部材
２６　　　　　　段部
２７　　　　　　ねじ
３０　　　　　　金属製挟持部材
３１　　　　　　リング
３３　　　　　　時計ケース
３３ａ　　　　バンド連結部
３４　　　　　　凹部
３５　　　　　　バンド
３６　　　　　　皮革バンド
３７　　　　　　芯材
３８　　　　　　表材
４０　　　　　　円形孔
４１　　　　　　健康増進部品
４２　　　　　　裏材
４４　　　　　　バンド
４５　　　　　　開口部
４７　　　　　　駒
４８　　　　　　凹部
５０　　　　　　バンド
５１　　　　　　凹部
５３　　　　　　時計ケース
５４　　　　　　第１のバンド
５５　　　　　　第２のバンド
５６　　　　　　第１の中間連結部材
５７　　　　　　バンド
５８　　　　　　第２の中間連結部材
６０　　　　　　凹部
６１　　　　　　表カバー
６２　　　　　　中板
６３　　　　　　下板
６４　　　　　　中間連結部材
６５　　　　　　バンド
６６　　　　　　凹部
６７　　　　　　収納部
７０　　　　　　バンド
７１　　　　　　中留ケース
７２　　　　　　連結金具
７３　　　　　　バンド
７４　　　　　　駒
７５　　　　　　ロックピン
７６　　　　　　孔
７７　　　　　　錠止板
７８　　　　　　連結部
７９　　　　　　ピン
８０　　　　　　凹部
８１　　　　　　挿通枠
８２　　　　　　つく棒
８３　　　　　　バンド
８４　　　　　　孔
８５　　　　　　連結金具
８６　　　　　　凹部
【図１】
2004065705.tif 000003
【図２】
2004065705.tif 000004
【図３】
2004065705.tif 000005
【図４】
2004065705.tif 000006
【図５】
2004065705.tif 000007
【図６】
2004065705.tif 000008
【図７】
2004065705.tif 000009
【図８】
2004065705.tif 000010
【図９】
2004065705.tif 000011
【図１０】
2004065705.tif 000012
【図１１】
2004065705.tif 000013
【図１２】
2004065705.tif 000014
【図１３】
2004065705.tif 000015
【図１４】
2004065705.tif 000016
【図１５】
2004065705.tif 000017
【図１６】
2004065705.tif 000018
【図１７】
2004065705.tif 000019
【図１８】
2004065705.tif 000020
【図１９】
2004065705.tif 000021
【図２０】
2004065705.tif 000022
【図２１】
2004065705.tif 000023
【図２２】
2004065705.tif 000024
【図２３】
2004065705.tif 000025
【図２４】
2004065705.tif 000026
【図２５】
2004065705.tif 000027
【図２６】
2004065705.tif 000028